(57)【要約】【課題】電力消費量及びシステム効率に改善の余地がある。【解決手段】分散型電源２及び系統電源３間に外乱要素を注入する外乱要素注入部１２と、分散型電源及び系統電源間の系統連系点Ｘでの外乱要素による系統変化を検出する系統状態検出部１３と、この検出結果に基づき、分散型電源の単独運転を検出する制御部１６とを有する単独運転検出装置６であって、分散型電源及びパワコン４間の電圧を検出する電圧検出部１４を有し、制御部は、分散型電源の運転動作を検出すると、外乱要素注入部及び系統状態検出部をＯＮ制御すると共に、電圧検出部にて検出した電圧が所定電圧閾値未満であると判定されると、分散型電源が運転停止であると判断して、外乱要素注入部及び系統状態検出部をＯＦＦ制御するようにした。【選択図】図１
2007104746.tif 000002
【特許請求の範囲】
【請求項１】
分散型電源及び系統電源間に外乱要素を注入する外乱要素注入手段と、前記分散型電源及び系統電源間の系統連系点での外乱要素による系統変化を検出する系統状態検出手段と、この系統状態検出手段の検出結果に基づき、前記分散型電源の単独運転を検出する制御手段とを有する単独運転検出装置であって、
前記分散型電源の運転状態を検出する運転状態検出手段を有し、
前記制御手段は、
前記運転状態検出手段にて前記分散型電源の運転動作を検出すると、前記外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御することを特徴とする単独運転検出装置。
【請求項２】
前記制御手段は、
前記運転状態検出手段にて前記分散型電源の運転停止を検出すると、前記系統電源から前記外乱要素注入手段及び系統状態検出手段への電力供給を停止することを特徴とする請求項１記載の単独運転検出装置。
【請求項３】
前記制御手段は、
前記運転状態検出手段にて前記分散型電源の運転停止を検出すると、前記外乱要素注入手段に対して前記外乱要素の注入動作を停止すべく、前記外乱要素注入手段を制御することを特徴とする請求項１記載の単独運転検出装置。
【請求項４】
前記制御手段は、
前記外乱要素注入手段及び系統状態検出手段をＯＮ制御して前記分散型電源の単独運転を検出する単独運転検出機能及び、前記運転状態検出手段にて前記分散型電源の運転状態を検出する運転状態検出機能双方を稼動する通常モード、又は前記運転状態検出機能のみを稼動するスリープモードを設定可能にし、前記運転状態検出手段にて前記分散型電源の運転停止を検出すると、前記スリープモードに設定することを特徴とする請求項１，２又は３記載の単独運転検出装置。
【請求項５】
前記運転状態検出手段は、
前記分散型電源からの直流電力を交流電力に変換するパワーコンディショナの出力電流を検出する出力電流検出手段を有し、
この出力電流検出手段にて検出した出力電流が所定電流閾値未満であるか否かを判定し、同出力電流が所定電流閾値未満であると判定されると、前記分散型電源の運転停止を検出することを特徴とする請求項１、２、３又は４記載の単独運転検出装置。
【請求項６】
前記運転状態検出手段は、
前記分散型電源からの直流電力を交流電力に変換するパワーコンディショナ及び前記分散型電源間の電圧を検出する電圧検出手段を有し、
この電圧検出手段にて検出した電圧が所定電圧閾値未満であるか否かを判定し、同電圧が所定電圧閾値未満であると判定されると、前記分散型電源の運転停止を検出することを特徴とする請求項１、２，３又は４記載の単独運転検出装置。
【請求項７】
前記運転状態検出手段は、
前記分散型電源からの運転状態信号が運転停止信号であるか否かを判定し、同運転状態信号が運転停止信号であると判定されると、前記分散型電源の運転停止を検出することを特徴とする請求項１，２，３又は４記載の単独運転検出装置。
【請求項８】
前記運転状態検出手段は、
前記分散型電源の運転停止時間帯を設定し、現在時間が前記運転停止時間帯に到達したか否かを判定し、現在時間が前記運転停止時間帯に到達したと判定されると、前記分散型電源の運転停止を検出することを特徴とする請求項１、２、３又は４記載の単独運転検出装置。
【請求項９】
前記運転状態検出手段は、
前記分散型電源からの直流電力を交流電力に変換するパワーコンディショナの出力電流を検出する出力電流検出手段と、
前記分散型電源及び前記パワーコンディショナ間の電圧を検出する電圧検出手段とを有し、
前記出力電流検出手段にて検出した出力電流が所定電流閾値未満、かつ、前記電圧検出手段にて検出した電圧が所定電圧閾値未満であると判定されると、前記分散型電源の運転停止を検出することを特徴とする請求項１、２、３又は４記載の単独運転検出装置。
【請求項１０】
前記運転状態検出手段は、
前記分散型電源からの直流電力を交流電力に変換するパワーコンディショナの出力電流を検出する出力電流検出手段を有し、
この出力電流検出手段にて検出した出力電流が所定電流閾値未満で、かつ、前記分散型電源からの運転状態信号が運転停止信号であると判定されると、前記分散型電源の運転停止を検出することを特徴とする請求項１、２，３又は４記載の単独運転検出装置。
【請求項１１】
前記運転状態検出手段は、
前記分散型電源からの直流電力を交流電力に変換するパワーコンディショナの出力電流を検出する出力電流検出手段を有し、
この出力電流検出手段にて検出した出力電流が所定電流閾値未満で、かつ、現在時間が前記分散型電源の運転停止時間帯に到達したと判定されると、前記分散型電源の運転停止を検出することを特徴とする請求項１，２，３又は４記載の単独運転検出装置。
【請求項１２】
前記運転状態検出手段は、
前記分散型電源からの直流電力を交流電力に変換するパワーコンディショナ及び前記分散型電源間の電圧を検出する電圧検出手段を有し、
この電圧検出手段にて検出した電圧が所定電圧閾値未満で、かつ、前記分散型電源からの運転状態信号が運転停止信号であると判定されると、前記分散型電源の運転停止を検出することを特徴とする請求項１、２、３又は４記載の単独運転検出装置。
【請求項１３】
前記運転状態検出手段は、
前記分散型電源からの直流電力を交流電力に変換するパワーコンディショナ及び前記分散型電源間の電圧を検出する電圧検出手段を有し、
この電圧検出手段にて検出した電圧が所定電圧閾値未満で、かつ、現在時間が前記分散型電源の運転停止時間帯に到達したと判定されると、前記分散型電源の運転停止を検出することを特徴とする請求項１，２，３又は４記載の単独運転検出装置。
【請求項１４】
前記運転状態検出手段は、
前記分散型電源からの運転状態信号が運転停止信号で、かつ、現在時間が前記分散型電源の運転停止時間帯に到達したと判定されると、前記分散型電源の運転停止を検出することを特徴とする請求項１，２，３又は４記載の単独運転検出装置。
【請求項１５】
分散型電源及び系統電源間に外乱要素を注入する外乱要素注入手段と、前記分散型電源及び系統電源間の系統連系点での外乱要素による系統変化を検出する系統状態検出手段と、この系統状態検出手段の検出結果に基づき、前記分散型電源の単独運転を検出する制御手段とを有する単独運転検出装置であって、
前記分散型電源及び同単独運転検出装置間に配置され、前記分散型電源の直流電力を交流電力に変換するパワーコンディショナの運転状態を検出するパワコン用運転状態検出手段を有し、
前記制御手段は、
前記パワコン用運転状態検出手段にて前記パワーコンディショナの運転動作を検出すると、前記外乱要素注入手段及び系統状態検出手段をＯＮ制御すると共に、前記パワコン用運転状態検出手段にて前記パワーコンディショナの運転停止を検出すると、前記外乱要素注入手段及び系統状態検出手段をＯＦＦ制御することを特徴とする単独運転検出装置。
【請求項１６】
分散型電源及び系統電源間に外乱要素を注入する外乱要素注入手段と、前記分散型電源及び系統電源間の系統連系点での外乱要素による系統変化を検出する系統状態検出手段と、この系統状態検出手段の検出結果に基づき、前記分散型電源の単独運転を検出する制御手段と、前記分散型電源の運転状態を検出する運転状態検出手段とを有する単独運転検出装置の制御方法であって、
前記運転状態検出手段にて前記分散型電源の運転動作を検出すると、前記外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御することを特徴とする単独運転検出装置の制御方法。
【発明の詳細な説明】
【技術分野】
【０００１】
本発明は、例えば太陽光発電機、燃料電池発電機、ガスエンジン発電機、風力発電機や水力発電機等の分散型電源と系統電源(商用電源)間に配置され、前記分散型電源の単独運転を検出する単独運転検出装置及び、同単独運転検出装置の制御方法に関する。
【背景技術】
【０００２】
近年、太陽光発電機等の分散型電源と系統電源とをパワーコンディショナ(以下、単にパワコンと称する)を介して逆潮流有りで連系し、負荷に対して分散型電源だけでは電力が賄えない場合に、系統電源側から電力を供給する系統連系システムが開発されている。
【０００３】
この種の系統連系システムでは、分散型電源の単独運転を防止する必要があるため、分散型電源の単独運転を検出すると、分散型電源と接続するパワコン及び系統電源間の接続を遮断する単独運転検出装置を採用している(例えば特許文献１参照)。
【０００４】
図７は従来の単独運転検出装置を採用した系統連系システム内部の概略構成を示すブロック図である。
【０００５】
図７に示す系統連系システム１００は、分散型電源１０１と、系統電源１０２と、分散型電源１０１で発電した直流電力を交流電力に変換するインバータ１０３Ａを備えたパワコン１０３と、パワコン１０３にて変換した交流電力又は系統電源１０２からの交流電力を消費する家庭用電気機器等の負荷１０４と、分散型電源１０１に接続するパワコン１０３及び系統電源１０２間に配置され、分散型電源１０１の単独運転を検出する単独運転検出装置１０５とを有している。
【０００６】
パワコン１０３は、インバータ１０３Ａの他に、分散型電源１０１及び系統電源１０２間の接続を遮断する連系スイッチ１０３Ｂを備えている。
【０００７】
単独運転検出装置１０５は、パワコン１０３及び系統電源１０２間の接続を遮断する遮断スイッチ１１１と、パワコン１０３及び系統電源１０２間に注入する外乱要素を発生する外乱要素注入部１１２と、パワコン１０３及び系統電源１０２間の系統連系点Ｘで外乱要素による系統変化、例えば系統の電圧変動や周波数変動等を検出する系統状態検出部１１３と、この単独運転検出装置１０５全体を制御する制御部１１４とを有している。
【０００８】
外乱要素注入部１１２は、パワコン１０３及び系統電源１０２間に注入する外乱要素を生成する外乱注入用インバータ１１２Ａと、外乱注入用インバータ１１２Ａ及び系統電源１０２間を接続又は遮断する外乱注入用連系スイッチ１１２Ｂとを有し、外乱注入用連系スイッチ１１２Ｂは、外乱注入用インバータ１１２Ａ及び系統電源１０２間を接続することで、系統電源１０２から外乱注入用インバータ１１２Ａに電力を供給して同外乱注入用インバータ１１２Ａで外乱要素を生成し、この生成した外乱要素をパワコン１０３及び系統電源１０２間に注入すると共に、外乱注入用インバータ１１２Ａ及び系統電源１０２間を遮断することで、系統電源１０２から外乱注入用インバータ１１２Ａへの電力供給を停止して外乱注入用インバータ１１２Ａからパワコン１０３及び系統電源１０２間への外乱要素の注入を遮断するものである。
【０００９】
制御部１１４は、外乱要素注入部１１２内の外乱注入用インバータ１１２Ａ及び外乱注入用連系スイッチ１１２Ｂを駆動制御し、外乱要素を注入する場合、外乱注入用インバータ１１２Ａ及び外乱注入用連系スイッチ１１２ＢをＯＮ制御して、外乱注入用連系スイッチ１１２Ｂを通じて系統電源１０２から外乱注入用インバータ１１２Ａに電力を供給して同外乱注入用インバータ１１２Ａで外乱要素を生成し、この外乱要素をパワコン１０３及び系統電源１０２間に注入すると共に、系統状態検出部１１３を通じて系統連系点Ｘで外乱要素による系統変化を検出し、この検出結果に基づき、分散型電源１０１の単独運転を判定するものである。
【００１０】
また、制御部１１４は、分散型電源１０１の単独運転を検出すると、遮断スイッチ１１１を駆動制御することで、パワコン１０３及び系統電源１０２間の接続を遮断するものである。
【００１１】
尚、外乱要素としては、例えば無効電力変動、有効電力変動、周波数シフト又は高調波注入等の能動的な外乱信号に相当するものである。
【００１２】
図７に示す系統連系システム１００に採用した単独運転検出装置１０５によれば、外乱要素注入部１１２にて生成した外乱要素をパワコン１０３及び系統電源１０２間に注入し、系統状態検出部１１３を通じてパワコン１０３及び系統電源１０２間の系統連系点Ｘで同外乱要素による系統変化を検出し、この検出結果に基づき、分散型電源１０１の単独運転を判定すると共に、分散型電源１０１の単独運転を検出すると、パワコン１０３及び系統電源１０２間の接続を遮断すべく、遮断スイッチ１１１を駆動制御するようにしたので、分散型電源１０１の単独運転による不具合を確実に防止することができる。
【特許文献１】特開平１０−２４８１６８号公報（要約書及び図1参照）
【発明の開示】
【発明が解決しようとする課題】
【００１３】
しかしながら、上記従来の単独運転検出装置１０５によれば、分散型電源１０１が稼動しているか否かに関係なく、常時、分散型電源１０１の単独運転を検出すべく、例えば系統電源１０２から外乱要素注入部１１２へ給電して、この外乱要素注入部１１２で外乱要素を生成し、この生成した外乱要素をでパワコン１０３及び系統電源１０２間に注入し、系統状態検出部１１３を通じて系統連系点Ｘで外乱要素による系統変化を検出し、同検出結果に基づき、分散型電源１０１の単独運転を判定するようにしたが、そもそも、分散型電源１０１が稼動中の場合にのみ分散型電源１０１の単独運転が発生するのであって、例えば太陽の日照時間に大きく左右される太陽光発電機等の分散型電源１０１においては、夜間は稼動せず、すなわち分散型電源１０１を稼動させない場合もあるため、このような分散型電源１０１を稼動させない場合があるにもかかわらず、分散型電源１０１の単独運転を検出する単独運転検出機能を常時稼動させた場合には多大な電力を要することは勿論のこと、システム効率の低下を招く虞がある。
【００１４】
そこで、本発明は上記点に鑑みてなされたものであり、その目的とするところは、例えば電力消費量を大幅に改善しながら、システム効率の向上を図ることができる単独運転検出装置及び、単独運転検出装置の制御方法を提供することにある。
【課題を解決するための手段】
【００１５】
上記目的を達成するために本発明の単独運転検出装置は、分散型電源及び系統電源間に外乱要素を注入する外乱要素注入手段と、前記分散型電源及び系統電源間の系統連系点での外乱要素による系統変化を検出する系統状態検出手段と、この系統状態検出手段の検出結果に基づき、前記分散型電源の単独運転を検出する制御手段とを有する単独運転検出装置であって、前記分散型電源の運転状態を検出する運転状態検出手段を有し、前記制御手段は、前記運転状態検出手段にて前記分散型電源の運転動作を検出すると、前記外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御するようにした。
【００１６】
本発明の単独運転検出装置は、前記制御手段が、前記運転状態検出手段にて前記分散型電源の運転停止を検出すると、前記系統電源から前記外乱要素注入手段及び系統状態検出手段への電力供給を停止するようにした。
【００１７】
本発明の単独運転検出装置は、前記制御手段が、前記運転状態検出手段にて前記分散型電源の運転停止を検出すると、前記外乱要素注入手段に対して前記外乱要素の注入動作を停止すべく、前記外乱要素注入手段を制御するようにした。
【００１８】
本発明の単独運転検出装置は、前記制御手段が、前記外乱要素注入手段及び系統状態検出手段をＯＮ制御して前記分散型電源の単独運転を検出する単独運転検出機能及び、前記運転状態検出手段にて前記分散型電源の運転状態を検出する運転状態検出機能双方を稼動する通常モード、又は前記運転状態検出機能のみを稼動するスリープモードを設定可能にし、前記運転状態検出手段にて前記分散型電源の運転停止を検出すると、前記スリープモードに設定するようにした。
【００１９】
本発明の単独運転検出装置は、前記運転状態検出手段が、前記分散型電源からの直流電力を交流電力に変換するパワーコンディショナの出力電流を検出する出力電流検出手段を有し、この出力電流検出手段にて検出した出力電流が所定電流閾値未満であるか否かを判定し、同出力電流が所定電流閾値未満であると判定されると、前記分散型電源の運転停止を検出するようにした。
【００２０】
本発明の単独運転検出装置は、前記運転状態検出手段が、前記分散型電源からの直流電力を交流電力に変換するパワーコンディショナ及び前記分散型電源間の電圧を検出する電圧検出手段を有し、この電圧検出手段にて検出した電圧が所定電圧閾値未満であるか否かを判定し、同電圧が所定電圧閾値未満であると判定されると、前記分散型電源の運転停止を検出するようにした。
【００２１】
本発明の単独運転検出装置は、前記運転状態検出手段が、前記分散型電源からの運転状態信号が運転停止信号であるか否かを判定し、同運転状態信号が運転停止信号であると判定されると、前記分散型電源の運転停止を検出するようにした。
【００２２】
本発明の単独運転検出装置は、前記運転状態検出手段が、前記分散型電源の運転停止時間帯を設定し、現在時間が前記運転停止時間帯に到達したか否かを判定し、現在時間が前記運転停止時間帯に到達したと判定されると、前記分散型電源の運転停止を検出するようにした。
【００２３】
本発明の単独運転検出装置は、前記運転状態検出手段が、前記分散型電源からの直流電力を交流電力に変換するパワーコンディショナの出力電流を検出する出力電流検出手段と、前記分散型電源及び前記パワーコンディショナ間の電圧を検出する電圧検出手段とを有し、前記出力電流検出手段にて検出した出力電流が所定電流閾値未満、かつ、前記電圧検出手段にて検出した電圧が所定電圧閾値未満であると判定されると、前記分散型電源の運転停止を検出するようにした。
【００２４】
本発明の単独運転検出装置は、前記運転状態検出手段が、前記分散型電源からの直流電力を交流電力に変換するパワーコンディショナの出力電流を検出する出力電流検出手段を有し、この出力電流検出手段にて検出した出力電流が所定電流閾値未満で、かつ、前記分散型電源からの運転状態信号が運転停止信号であると判定されると、前記分散型電源の運転停止を検出するようにした。
【００２５】
本発明の単独運転検出装置は、前記運転状態検出手段が、前記分散型電源からの直流電力を交流電力に変換するパワーコンディショナの出力電流を検出する出力電流検出手段を有し、この出力電流検出手段にて検出した出力電流が所定電流閾値未満で、かつ、現在時間が前記分散型電源の運転停止時間帯に到達したと判定されると、前記分散型電源の運転停止を検出するようにした。
【００２６】
本発明の単独運転検出装置は、前記運転状態検出手段が、前記分散型電源からの直流電力を交流電力に変換するパワーコンディショナ及び前記分散型電源間の電圧を検出する電圧検出手段を有し、この電圧検出手段にて検出した電圧が所定電圧閾値未満で、かつ、前記分散型電源からの運転状態信号が運転停止信号であると判定されると、前記分散型電源の運転停止を検出するようにした。
【００２７】
本発明の単独運転検出装置は、前記運転状態検出手段が、前記分散型電源からの直流電力を交流電力に変換するパワーコンディショナ及び前記分散型電源間の電圧を検出する電圧検出手段を有し、この電圧検出手段にて検出した電圧が所定電圧閾値未満で、かつ、現在時間が前記分散型電源の運転停止時間帯に到達したと判定されると、前記分散型電源の運転停止を検出するようにした。
【００２８】
本発明の単独運転検出装置は、前記運転状態検出手段が、前記分散型電源からの運転状態信号が運転停止信号で、かつ、現在時間が前記分散型電源の運転停止時間帯に到達したと判定されると、前記分散型電源の運転停止を検出するようにした。
【００２９】
本発明の単独運転検出装置は、分散型電源及び系統電源間に外乱要素を注入する外乱要素注入手段と、前記分散型電源及び系統電源間の系統連系点での外乱要素による系統変化を検出する系統状態検出手段と、この系統状態検出手段の検出結果に基づき、前記分散型電源の単独運転を検出する制御手段とを有する単独運転検出装置であって、前記分散型電源及び同単独運転検出装置間に配置され、前記分散型電源の直流電力を交流電力に変換するパワーコンディショナの運転状態を検出するパワコン用運転状態検出手段を有し、前記制御手段は、前記パワコン用運転状態検出手段にて前記パワーコンディショナの運転動作を検出すると、前記外乱要素注入手段及び系統状態検出手段をＯＮ制御すると共に、前記パワコン用運転状態検出手段にて前記パワーコンディショナの運転停止を検出すると、前記外乱要素注入手段及び系統状態検出手段をＯＦＦ制御するようにした。
【００３０】
本発明の単独運転検出装置の制御方法は、分散型電源及び系統電源間に外乱要素を注入する外乱要素注入手段と、前記分散型電源及び系統電源間の系統連系点での外乱要素による系統変化を検出する系統状態検出手段と、この系統状態検出手段の検出結果に基づき、前記分散型電源の単独運転を検出する制御手段と、前記分散型電源の運転状態を検出する運転状態検出手段とを有する単独運転検出装置の制御方法であって、前記運転状態検出手段にて前記分散型電源の運転動作を検出すると、前記外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御するようにした。
【発明の効果】
【００３１】
上記のように構成された本発明の単独運転検出装置によれば、前記運転状態検出手段にて前記分散型電源の運転動作を検出すると、前記外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御するようにした、例えば分散型電源が稼動していない場合には、外乱要素注入手段の外乱要素注入動作及び、系統状態検出手段の系統状態検出動作等の単独運転検出機能を停止させることでシステム効率の大幅な向上を図ることができる。
【００３２】
本発明の単独運転検出装置によれば、前記制御手段が前記運転状態検出手段にて前記分散型電源の運転停止を検出すると、前記系統電源から前記外乱要素注入手段及び系統状態検出手段への電力供給を停止するようにした、例えば分散型電源が稼動していない場合には単独運転検出機能に使用する電力供給を停止させることでシステム効率の大幅な向上は勿論のこと、従来技術の単独運転検出装置に比較して、消費電力を大幅に軽減することができる。
【００３３】
本発明の単独運転検出装置によれば、前記制御手段が前記運転状態検出手段にて前記分散型電源の運転停止を検出すると、前記外乱要素注入手段に対して前記外乱要素の注入動作を停止すべく、前記外乱要素注入手段を制御するようにした、例えば分散型電源が稼動していない場合には単独運転検出機能に停止させることでシステム効率の大幅な向上を図ることができる。
【００３４】
本発明の単独運転検出装置によれば、単独運転検出機能及び運転状態検出機能両方を稼動する通常モードと、運転状態検出機能のみを稼動するスリープモードとを制御手段で設定可能にし、前記運転状態検出手段にて前記分散型電源の運転停止を検出すると、前記制御手段をスリープモードに設定するようにした、すなわち分散型電源が稼動していない場合は単独運転検出機能を稼動せず、運転状態検出機能のみを稼動させることで、制御手段内部の消費電力も大幅に軽減することができる。
【００３５】
本発明の単独運転検出装置によれば、パワーコンディショナの出力電流が所定電流閾値未満であると判定されると、前記分散型電源の運転停止として検出するようにしたので、パワーコンディショナの出力電流で分散型電源が稼動中であるか否かを判断することができる。
【００３６】
本発明の単独運転検出装置によれば、パワーコンディショナ及び分散型電源間の電圧が所定電圧閾値未満であると判定されると、前記分散型電源の運転停止として検出するようにしたので、パワーコンディショナ及び分散型電源間の電圧で分散型電源が稼動中であるか否かを判断することができる。
【００３７】
本発明の単独運転検出装置によれば、分散型電源からの運転状態信号が運転停止信号であると判定されると、前記分散型電源の運転停止として検出するようにしたので、分散型電源からの指示で分散型電源が稼動中であるか否かを判断することができる。
【００３８】
本発明の単独運転検出装置によれば、分散型電源の運転停止時間帯を設定し、現在時間が運転停止時間帯に到達したと判定されると、前記分散型電源の運転停止として検出するようにしたので、分散型電源の稼動スケジュール時間単位で分散型電源が稼動中であるか否かを判断することができる。
【００３９】
本発明の単独運転検出装置によれば、パワーコンディショナの出力電流が所定電流閾値未満、かつパワーコンディショナ及び分散型電源間の電圧が所定電圧閾値未満であると判定されると、前記分散型電源の運転停止として検出するようにしたので、パワーコンディショナの出力電流及び、パワーコンディショナ及び分散型電源間の電圧で分散型電源が稼動中であるか否かを確実に判断することができる。
【００４０】
本発明の単独運転検出装置によれば、パワーコンディショナの出力電流が所定電流閾値未満で、かつ、分散型電源からの運転状態信号が運転停止信号であると判定されると、前記分散型電源の運転停止として検出するようにしたので、パワーコンディショナの出力電流及び、分散型電源からの運転停止信号の有無で分散型電源が稼動中であるか否かを確実に判断することができる。
【００４１】
本発明の単独運転検出装置によれば、パワーコンディショナの出力電流が所定電流閾値未満で、かつ、現在時間が運転停止時間帯に到達したと判定されると、前記分散型電源の運転停止として検出するようにしたので、パワーコンディショナの出力電流及び、分散型電源の稼動スケジュール時間単位で分散型電源が稼動中であるか否かを確実に判断することができる。
【００４２】
本発明の単独運転検出装置によれば、分散型電源及びパワーコンディショナ間の電圧が所定電圧閾値未満で、かつ、分散型電源からの運転状態信号が運転停止信号であると判定されると、前記分散型電源の運転停止として検出するようにしたので、分散型電源及びパワーコンディショナ間の電圧及び分散型電源からの運転停止信号の有無で分散型電源が稼動中であるか否かを確実に判断することができる。
【００４３】
本発明の単独運転検出装置によれば、分散型電源及びパワーコンディショナ間の電圧が所定電圧閾値未満で、かつ、現在時間が運転停止時間帯に到達したと判定されると、前記分散型電源の運転停止として検出するようにしたので、パワーコンディショナ及び分散型電源間の電圧及び、分散型電源の稼動スケジュール時間単位で分散型電源が稼動中であるか否かを確実に判断することができる。
【００４４】
本発明の単独運転検出装置によれば、分散型電源からの運転状態信号が運転停止信号であると判定され、かつ、現在時間が運転停止時間帯に到達したと判定されると、前記分散型電源の運転停止として検出するようにしたので、分散型電源からの運転停止信号の有無及び、分散型電源の稼動スケジュール時間単位で分散型電源が稼動中であるか否かを確実に判断することができる。
【００４５】
本発明の単独運転検出装置によれば、前記制御手段が、前記パワコン用運転状態検出手段にて前記パワーコンディショナの運転動作を検出すると、前記外乱要素注入手段及び系統状態検出手段をＯＮ制御すると共に、前記パワコン用運転状態検出手段にて前記パワーコンディショナの運転停止を検出すると、前記外乱要素注入手段及び系統状態検出手段をＯＦＦ制御するようにした、例えば分散型電源と接続するパワーコンディショナが稼動していない場合には、外乱要素注入手段の外乱要素注入動作及び、系統状態検出手段の系統状態検出動作等の単独運転検出機能を停止させることでシステム効率の大幅な向上を図ることができる。
【００４６】
本発明の単独運転検出装置の制御方法によれば、前記運転状態検出手段にて前記分散型電源の運転動作を検出すると、前記外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御するようにした、例えば分散型電源が稼動していない場合には、外乱要素注入手段の外乱要素注入動作及び、系統状態検出手段の系統状態検出動作等の単独運転検出機能を停止させることでシステム効率の大幅な向上を図ることができる。
【発明を実施するための最良の形態】
【００４７】
以下、図面に基づいて本発明の実施の形態を示す単独運転検出装置を採用した系統連系システムについて説明する。
【００４８】
(実施の形態１)
図１は第１の実施の形態を示す単独運転検出装置を採用した系統連系システム内部の概略構成を示すブロック図である。
【００４９】
図１に示す系統連系システム１は、例えば太陽光発電機、燃料電池発電機、ガスエンジン発電機、風力発電機や水力発電機等の分散型電源２と、系統電源３と、分散型電源２で発電した直流電力を交流電力に変換するインバータ４Ａを備えたパワコン４と、パワコン４にて変換した交流電力又は系統電源３からの交流電力を消費する家庭用電気機器等の負荷５と、分散型電源２に接続するパワコン４及び系統電源３間に配置され、分散型電源２の単独運転を検出する単独運転検出装置６とを有している。
【００５０】
パワコン４は、インバータ４Ａの他に、分散型電源２及び系統電源３間を接続又は遮断する連系スイッチ４Ｂを備えている。
【００５１】
単独運転検出装置６は、パワコン４及び系統電源３間の接続を遮断する遮断スイッチ１１と、パワコン４及び系統電源３間に注入する外乱要素を発生する外乱要素注入部１２と、系統連系点Ｘで外乱要素による系統変化、例えば系統の電圧変動や周波数変動等を検出する系統状態検出部１３と、分散型電源２及びパワコン４間の電圧を検出する電圧検出部１４と、系統電源３を通じて制御電力を単独運転検出装置６全体に供給する電力供給部１５と、この単独運転検出装置６全体を制御する制御部１６とを有している。
【００５２】
外乱要素注入部１２は、パワコン４及び系統電源３間に注入する外乱要素を生成する外乱注入用インバータ１２Ａと、外乱注入用インバータ１２Ａ及び系統電源３間を接続又は遮断する外乱注入用連系スイッチ１２Ｂとを有し、外乱注入用連系スイッチ１２Ｂは、外乱注入用インバータ１２Ａ及び系統電源３間を接続することで、系統電源３から外乱注入用インバータ１２Ａに電力を供給して同外乱注入用インバータ１２Ａで外乱要素を生成し、この生成した外乱要素をパワコン４及び系統電源３間に注入すると共に、外乱注入用インバータ１２Ａ及び系統電源３間を遮断することで、系統電源３から外乱注入用インバータ１２Ａへの電力供給を停止して外乱注入用インバータ１２Ａからパワコン４及び系統電源３間への外乱要素の注入を遮断するものである。
【００５３】
系統状態検出部１３は、パワコン４及び系統電源２間に注入した外乱要素による系統変化を系統連系点Ｘで検出し、この検出結果を制御部１６に通知するものである。
【００５４】
電圧検出部１４は、分散型電源２及びパワコン４間の電圧を検出し、この検出結果を制御部１６に通知するものである。
【００５５】
電力供給部１５は、系統電源３を通じて制御電力を供給し、この制御電力を電圧検出部１４及び制御部１６に供給するものである。
【００５６】
制御部１６は、外乱要素注入部１２及び系統状態検出部１３をＯＮ制御して分散型電源２の単独運転を判定する単独運転検出機能１６Ａと、電圧検出部１４を通じて分散型電源２の運転状態を監視する運転状態検出機能１６Ｂとを有し、単独運転検出機能１６Ａ及び運転状態検出機能１６Ｂ両方を稼動する通常モード及び、単独運転検出機能１６Ａの稼動を停止して運転状態検出機能１６Ｂのみを稼動するスリープモードを設定可能としている。
【００５７】
単独運転検出機能１６Ａは、外乱要素注入部１２及び系統状態検出部１３をＯＮ制御し、外乱注入用連系スイッチ１２Ｂを通じて系統電源２から外乱注入用インバータ１２Ａに電力を供給して同外乱注入用インバータ１２Ａで外乱要素を生成し、この生成した外乱要素を外乱注入用連系スイッチ１２Ｂを通じてパワコン４及び系統電源３間に注入すると共に、系統状態検出部１３を通じて系統連系点Ｘでの外乱要素による系統変化の検出結果を取得し、この検出結果に基づき、分散型電源２が単独運転中であるか否かを判定するものである。
【００５８】
運転状態検出機能１６Ｂは、電圧検出部１４を通じて分散型電源２及びパワコン４間の電圧を監視し、電圧が所定電圧閾値未満であるか否かを判定し、この判定結果に基づき、分散型電源が運転停止したか否かを判定するものである。尚、所定電圧閾値は、分散型電源２の運転停止状態に関わる電圧値に相当し、電圧検出部１４にて検出した電圧が所定電圧閾値未満であると判定されると、分散型電源２が運転停止したものと判断するものである。
【００５９】
制御部１６は、通常モード中に、電圧検出部１４を通じて分散型電源２及びパワコン４間の電圧を監視し、同電圧が所定電圧閾値未満であると判定されると、分散型電源２が運転停止したものと判断し、稼動中の単独運転検出機能１６Ａを停止して運転状態検出機能１６Ｂのみを稼動させるスリープモードに移行することになる。
【００６０】
尚、スリープモード設定中の制御部１６は、単独運転検出機能１６Ａの稼動を停止することになるため、外乱要素注入部１２内の外乱注入用連系スイッチ１２Ｂを通じて外乱注入用インバータ１２Ａ及び系統電源３間の接続を遮断すると共に、外乱要素注入部１２及び系統状態検出部１３をＯＦＦ制御するものである。
【００６１】
制御部１６は、単独運転検出機能１６Ａにて分散型電源２の単独運転であると判定されると、パワコン４及び系統電源３間の接続を遮断すべく、遮断スイッチ１１を駆動制御するものである。
【００６２】
図２は同単独運転検出装置６の電圧検出部１４内部の概略構成を示す説明図である。
【００６３】
図２に示す電圧検出部１４は、分散型電源２を太陽電池にした場合、サージアブソーバＳＡ１〜ＳＡ３と、抵抗Ｒ１〜Ｒ４と、ツェナダイオードＤ１と、フォトカプラＰＨＣ１と、ＮＯＴ回路ＩＣ１とを有し、分散型電源２が運転中の場合、ツェナダイオードＤ１を通じて所定電流がフォトカプラＰＨＣに流れ込むことでＮＯＴ回路ＩＣ１にＬＯＷレベルを入力し、ＮＯＴ回路ＩＣ１でＬＯＷレベルを反転出力することになる。その結果、制御部１６では、ＮＯＴ回路ＩＣ１からＨＩＧＨレベルを得ることで、分散型電源２が運転中であることを認識することになる。
【００６４】
また、電圧検出部１４は、分散型電源２が運転停止中の場合、ツェナダイオードＤ１を通じて所定電流がフォトカプラＰＨＣに流れ込まないためＮＯＴ回路ＩＣ１にＨＩＧＨレベルを入力し、ＮＯＴ回路ＩＣ１でＨＩＧＨレベルを反転出力することになる。その結果、制御部１６では、ＮＯＴ回路ＩＣ１からＬＯＷレベルを得ることで、分散型電源２が運転停止中であることを認識することになる。
【００６５】
尚、請求項記載の外乱要素注入手段は外乱要素注入部１２、系統状態検出手段は系統状態検出部１３、制御手段は制御部１６、運転状態検出手段及び電圧検出手段は電圧検出部１４、電力供給手段は電力供給部１５に相当するものである。
【００６６】
次に第１の実施の形態を示す単独運転検出装置６の動作について説明する。
【００６７】
単独運転検出装置６の制御部１６は、分散型電源２が運転中の場合、単独運転検出機能１６Ａ及び運転状態検出機能１６Ｂ両方を稼動する通常モードに設定し、外乱要素注入部１２及び系統状態検出部１３をＯＮ制御する。
【００６８】
外乱要素注入部１２は、制御部１６からのＯＮ制御に応じて、外乱注入用連系スイッチ１２Ｂを駆動制御することで、系統電源３から外乱注入用インバータ１２Ａへ電力を供給して、同外乱注入用インバータ１２Ａを駆動して外乱要素を生成すると共に、外乱注入用連系スイッチ１２Ｂを通じて外乱要素をパワコン４及び系統電源３間に注入する。
【００６９】
系統状態検出部１３は、パワコン４及び系統電源３間の系統連系点Ｘで外乱要素による系統変化を検出し、この検出結果を制御部１６に通知する。制御部１６の単独運転検出機能１６Ａは、系統変化の検出結果を取得すると、同検出結果に基づき、分散型電源２が単独運転中であるか否かを判定し、同分散型電源２が単独運転中であると判定されると、パワコン４及び系統電源３間の接続を遮断すべく、遮断スイッチ１１を駆動制御することになる。
【００７０】
また、制御部１６の運転状態検出機能１６Ｂは、通常モード中においても電圧検出部１４を通じてパワコン４及び分散型電源２間の電圧を検出し、同電圧が所定電圧閾値未満であるか否かを判定する。
【００７１】
制御部１６は、電圧検出部１４にて検出したパワコン４及び分散型電源２間の電圧が所定電圧閾値未満であると判定されると、分散型電源２が運転停止中であると判断し、単独運転検出機能１６Ａを通じて外乱要素注入部１２及び系統状態検出部１３をＯＦＦ制御すると共に、単独運転検出機能１６Ａも停止すべく、スリープモードに移行することになる。
【００７２】
尚、制御部１６は、分散型電源２が運転停止中であると判断されると、単独運転検出機能１６Ａを通じて外乱要素注入部１２内の外乱注入用インバータ１２Ａへの電力供給を停止するために、系統電源３及び外乱注入用インバータ１２Ａ間の接続を遮断すべく、外乱注入用連系スイッチ１２Ｂを駆動制御するものである。
【００７３】
その結果、制御部１６では、分散型電源２が運転停止中であると判断されると、スリープモードに移行することで、単独運転検出機能１６Ａを停止し、運転状態検出機能１６Ｂのみが稼動することで、電圧検出部１４を通じて分散型電源２の運転開始を監視し、分散型電源２及びパワコン４間の電圧が所定電圧閾値以上であると判定されると、分散型電源２が運転再開したものと判断し、単独運転検出機能１６Ａを起動し、外乱要素注入部１２及び系統状態検出部１３のＯＮ駆動を再開することになる。
【００７４】
第１の実施の形態によれば、電圧検出部１４を通じて分散型電源２及びパワコン４間の電圧を検出し、同電圧が所定電圧閾値未満であると判定されると、分散型電源２が運転停止したものと判断し、外乱要素注入部１２及び系統状態検出部１３をＯＦＦ制御するようにしたので、分散型電源２の運転停止中における、単独運転検出に関わる外乱要素注入部１２及び系統状態検出部１３等への無駄な電力消費を大幅に軽減することができ、その結果、単独運転検出装置６内のシステム効率の大幅向上を図ることができる。
【００７５】
また、第１の実施の形態によれば、分散型電源２が運転停止したものと判断すると、制御部１６内の単独運転検出機能１６Ａを停止して運転状態検出機能１６Ｂのみを稼動するスリープモードを設定変更するようにしたので、分散型電源２の運転停止中における制御部１６内の無駄な電力消費を大幅に軽減することでき、その結果、制御部１６の負担を大幅に軽減することができる。
【００７６】
尚、上記第１の実施の形態においては、電圧検出部１４を通じて分散型電源２及びパワコン４間の電圧を検出し、同電圧が所定電圧閾値未満であるか否かを判定し、この判定結果に基づき、分散型電源２が運転停止中であるか否かを判断するようにしたが、このような分散型電源２が運転停止中であるか否かを判断する方法としては様々な態様が考えられる。そこで、以下に分散型電源２が運転停止中であるか否かを判断する各種態様につき、説明する。
【００７７】
(実施の形態２)
図３は第２の実施の形態を示す単独運転検出装置を採用した系統連系システム内部の概略構成を示すブロック図である。尚、図１に示す系統連系システム１と同一の構成については同一符号を付すことで、その重複する構成及び動作の説明については省略する。
【００７８】
図３に示す単独運転検出装置６Ａと図１に示す単独運転検出装置６とが異なるところは、電圧検出部１４の代わりに、パワコン４の出力電流を検出する出力電流検出部１４Ａを設け、制御部１６の運転状態検出機能１６Ｂは、出力電流検出部１４Ａを通じてパワコン４の出力電流を検出し、この出力電流が所定電流閾値未満であるか否かを判定し、同出力電流が所定電流閾値未満であると判定されると、分散型電源２が運転停止中であると判断する点にある。尚、所定電流閾値は、分散型電源２の運転停止状態に関わるパワコン４の出力電流値に相当するものである。
【００７９】
尚、請求項記載の運転状態検出手段及び出力電流検出手段は出力電流検出部１４Ａに相当するものである。
【００８０】
第２の実施の形態によれば、出力電流検出部１４Ａを通じてパワコン４の出力電流を検出し、同出力電流が所定電流閾値未満であると判定されると、分散型電源２が運転停止したものと判断し、外乱要素注入部１２及び系統状態検出部１３をＯＦＦ制御するようにしたので、分散型電源２の運転停止中における、単独運転検出に関わる外乱要素注入部１２及び系統状態検出部１３等への無駄な電力消費を大幅に軽減することができ、その結果、単独運転検出装置６Ａ内のシステム効率の大幅向上を図ることができる。
【００８１】
(実施の形態３)
図４は第３の実施の形態を示す単独運転検出装置を採用した系統連系システム１内部の概略構成を示すブロック図である。図１に示す系統連系システム１と同一の構成ついては同一符号を付すことで、その重複する構成及び動作の説明については省略する。
【００８２】
図４に示す単独運転検出装置６Ｂと図１に示す単独運転検出装置６とが異なるところは、電圧検出部１４の代わりに、分散型電源２の運転スケジュールを監視する運転スケジュール監視部１４Ｂを設け、分散型電源２の運転スケジュールを参照して現在時間が、分散型電源２の運転停止時間帯であるか否かを判定し、現在時間が運転停止時間帯であると判定されると、分散型電源２が運転停止したものと判断する点にある。
【００８３】
尚、請求項記載の運転状態検出手段は運転スケジュール監視部１４Ｂに相当するものである。
【００８４】
第３の実施の形態によれば、運転スケジュール監視部１４Ｂを通じて現在時間が運転停止時間帯であると判定されると、分散型電源２が運転停止したものと判断し、外乱要素注入部１２及び系統状態検出部１３をＯＦＦ制御するようにしたので、分散型電源２の運転停止中における、単独運転検出に関わる外乱要素注入部１２及び系統状態検出部１３等への無駄な電力消費を大幅に軽減することができ、その結果、単独運転検出装置６Ｂ内のシステム効率の大幅向上を図ることができる。
【００８５】
(実施の形態４)
図５は第４の実施の形態を示す単独運転検出装置を採用した系統連系システム１内部の概略構成を示すブロック図である。図１に示す系統連系システム１と同一の構成については同一符号を付すことで、その重複する構成及び動作の説明については省略する。
【００８６】
図５に示す単独運転検出装置６Ｃと図１に示す単独運転検出装置６とが異なるところは、電圧検出部１４の代わりに、分散型電源２からの運転状態を示す運転状態信号を検出する運転状態検出部１４Ｃを設け、制御部１６の運転状態検出機能１６Ｂは、運転状態検出部１４Ｃを通じて分散型電源２から運転状態信号を検出し、運転状態信号が運転停止信号であるか否かを判定し、同運転状態信号が運転停止信号であると判定されると、分散型電源２が運転停止中であると判断する点にある。
【００８７】
尚、請求項記載の運転状態検出手段は運転状態検出部１４Ｃに相当するものである。
【００８８】
第４の実施の形態によれば、運転状態検出部１４Ｃを通じて運転状態信号を検出し、同運転状態信号が運転停止信号であると判定されると、分散型電源２が運転停止したものと判断し、外乱要素注入部１２及び系統状態検出部１３をＯＦＦ制御するようにしたので、分散型電源２の運転停止中における、単独運転検出に関わる外乱要素注入部１２及び系統状態検出部１３への無駄な電力消費を大幅に軽減することができ、その結果、単独運転検出装置６Ｃ内のシステム効率の大幅向上を図ることができる。
【００８９】
(実施の形態５)
図６は第５の実施の形態を示す単独運転検出装置６を採用した系統連系システム１内部の概略構成を示すブロック図である。尚、図１に示す系統連系システム１と同一の構成については同一符号を付すことで、その重複する構成及び動作の説明については省略する。
【００９０】
図６に示す単独運転検出装置６Ｄと図１に示す単独運転検出装置６と異なるところは、電圧検出部１４の代わりに、パワコン４からの運転状態を示す運転状態信号を検出する運転状態検出部１４Ｄを設け、制御部１６の運転状態検出機能１６Ｂは、運転状態検出部１４Ｄを通じてパワコン４から運転状態信号を検出し、運転状態信号が運転停止信号であるか否かを判定し、同運転状態信号が運転停止信号であると判定されると、分散型電源２が運転停止中であると判断する点にある。
【００９１】
尚、請求項記載の運転状態検出手段は運転状態検出部１４Ｄに相当するものである。
【００９２】
第５の実施の形態によれば、運転状態検出部１４Ｄを通じてパワコン４の運転状態信号を検出し、同運転状態信号が運転停止信号であると判定されると、分散型電源２が運転停止したものと判断し、外乱要素注入部１２及び系統状態検出部１３をＯＦＦ制御するようにしたので、分散型電源２の運転停止中における、単独運転検出に関わる外乱要素注入部１２及び系統状態検出部１３等への無駄な電力消費を大幅に軽減することができ、その結果、単独運転検出装置６Ｄ内のシステム効率の大幅向上を図ることができる。
【００９３】
尚、上記第１乃至第５の実施の形態においては、分散型電源２が運転停止中であると判断されると、外乱要素注入部１２及び系統状態検出部１３をＯＦＦ制御するようにしたが、例えば外乱要素注入部１２の外乱注入用インバータ１２Ａに対して外乱要素の生成動作を停止させる、又は、例えば外乱要素注入部１２の外乱注入用連系スイッチ１２Ｂを駆動制御して前記系統電源３及び外乱注入用インバータ１２Ａ間の接続を遮断するだけでも良い。
【００９４】
また、上記第１乃至第５の実施の形態においては、分散型電源２若しくはパワコン４が運転停止中であるか否かを判断するために図１に示す電圧検出部１４、図３に示す出力電流検出部１４Ａ、図４に示す運転スケジュール監視部１４Ｂ、図５に示す運転状態検出部１４Ｃ及び図６に示す運転状態検出部１４Ｄを例に挙げて説明したが、分散型電源２又はパワコン４が運転停止中であるか否かを確実に判断するために、例えば電圧検出部１４及び出力電流検出部１４Ａを併用し、分散型電源２及びパワコン４間の電圧が所定電圧閾値未満、かつパワコン４の出力電流が所定電流閾値未満であると判定されると、分散型電源２が運転停止中であると判断するようにしても良く、パワコン４の出力電流及び、パワコン４及び分散型電源２間の電圧で分散型電源２が運転停止中であるか否かを確実に判断することができる。
【００９５】
また、同様に電圧検出部１４及び運転スケジュール監視部１４Ｂを併用し、分散型電源２及びパワコン４間の電圧が所定電圧閾値未満、かつ現在時間が分散型電源２の運転停止時間帯であると判定されると、分散型電源２が運転停止中であると判断するようにしても良く、分散型電源２及びパワコン４間の電圧及び、分散型電源２の稼動スケジュール時間単位で分散型電源２が運転停止中であるか否かを確実に判断することができる。
【００９６】
また、電圧検出部１４及び運転状態検出部１４Ｃを併用し、分散型電源２及びパワコン４間の電圧が所定電圧閾値未満、かつ分散型電源２からの運転状態信号が運転停止信号であると判定されると、分散型電源２が運転停止中であると判断するようにしても良く、分散型電源２及びパワコン４間の電圧及び、分散型電源２からの指示で、分散型電源２が運転停止中であるか否かを確実に判断することができる。
【００９７】
また、出力電流検出部１４Ａ及び運転スケジュール監視部１４Ｂを併用し、パワコン４の出力電流が所定電流閾値未満、かつ現在時間が運転停止時間帯であると判定されると、分散型電源２が運転停止中であると判断するようにしても良く、パワコン４の出力電流及び、分散型電源２の稼動スケジュール時間単位で、分散型電源２が運転停止中であるか否かを確実に判断することができる。
【００９８】
また、出力電流検出部１４Ａ及び運転状態検出部１４Ｃを併用し、パワコン４の出力電流が所定電流閾値未満、かつ現在時間が運転停止時間帯であると判定されると、分散型電源２が運転停止中であると判断するようにしても良く、パワコン４の出力電流及び、分散型電源２の稼動スケジュール時間単位で、分散型電源２が運転停止中であるか否かを確実に判断することができる。
【００９９】
また、運転スケジュール監視部１４Ｂ及び運転状態検出部１４Ｃを併用し、現在時間が運転停止時間帯、分散型電源２からの運転状態信号が運転停止信号であると判定されると、分散型電源２が運転停止中であると判断するようにしても良く、分散型電源２の稼動スケジュール時間単位及び分散型電源２からの指示で分散型電源２が運転停止中であるか否かを確実に判断することができる。
【０１００】
本実施の形態においては、そもそも、分散型電源２が運転停止中であると判断すると、外乱要素注入部１２及び系統状態検出部１３を駆動停止、若しくは電力供給停止することで単独運転検出装置６全体のシステム効率の改善を図ることを目的とするため、分散型電源２が運転停止中であるか否かを判断する態様としては様々考え得ることは言うまでもない。
【０１０１】
本実施の形態においては、単独運転検出装置６（６Ａ，６Ｂ，６Ｃ,６Ｄ）をパワコン４に外部接続するタイプについて説明したが、例えば単独運転検出装置６（６Ａ，６Ｂ，６Ｃ,６Ｄ）をパワコン４内部に内蔵する内蔵タイプについても適用可能であることは言うまでもなく、同様の効果が得られることは言うまでもない。
【産業上の利用可能性】
【０１０２】
本発明の単独運転検出装置は、運転状態検出手段にて分散型電源の運転動作を検出すると、外乱要素注入手段及び系統状態検出手段をＯＮ制御すると共に、前記運転状態検出手段にて前記分散型電源の運転停止を検出すると、前記外乱要素注入手段及び系統状態検出手段をＯＦＦ制御するようにした、例えば分散型電源が稼動していない場合には、外乱要素注入手段の外乱要素注入動作及び、系統状態検出手段の系統状態検出動作等の単独運転検出機能を停止させることでシステム効率の大幅な向上を図ることができるため、例えば太陽の日照時間に運転の影響を受ける太陽光発電機等の分散型電源を使用する場合に有用である。
【図面の簡単な説明】
【０１０３】
【図１】本発明の第１の実施の形態を示す単独運転検出装置を採用した系統連系システム内部の概略構成を示すブロック図である。
【図２】第１の実施の形態を示す単独運転検出装置の電圧検出部内部の概略構成を示す回路説明図である。
【図３】本発明の第２の実施の形態を示す単独運転検出装置を採用した系統連系システム内部の概略構成を示すブロック図である。
【図４】本発明の第３の実施の形態を示す単独運転検出装置を採用した系統連系システム内部の概略構成を示すブロック図である。
【図５】本発明の第４の実施の形態を示す単独運転検出装置を採用した系統連系システム内部の概略構成を示すブロック図である。
【図６】本発明の第５の実施の形態を示す単独運転検出装置を採用した系統連系システム内部の概略構成を示すブロック図である。
【図７】従来の単独運転検出装置を採用した系統連系システム内部の概略構成を示すブロック図である。
【符号の説明】
【０１０４】
２  分散型電源
３  系統電源
４  パワコン
６，６Ａ，６Ｂ，６Ｃ，６Ｄ  単独運転検出装置
１２  外乱要素注入部(外乱要素注入手段)
１３  系統状態検出部(系統状態検出手段)
１４  電圧検出部（運転状態検出手段、電圧検出手段）
１４Ａ  出力電流検出部（運転状態検出手段、出力電流検出手段）
１４Ｂ  運転スケジュール監視部(運転状態検出手段)
１４Ｃ  運転状態検出部(運転状態検出手段)
１４Ｄ  運転状態検出部(運転状態検出手段)
１５  電力供給部(電力供給手段)
１６  制御部(制御手段)
１６Ａ  単独運転検出機能
１６Ｂ  運転状態検出機能
【図１】
2007104746.tif 000003
【図２】
2007104746.tif 000004
【図３】
2007104746.tif 000005
【図４】
2007104746.tif 000006
【図５】
2007104746.tif 000007
【図６】
2007104746.tif 000008
【図７】
2007104746.tif 000009